(57)【特許請求の範囲】
【請求項１】
一定の距離を設けて平行に配置された２本の角形棒材を連結するように、長方形の薄板が該角形棒材の下面の両端部、及び中間部に取り付けられている位置決め治工具本体と、２本の前記角形棒材各々の上面の一方の端部に設けられた副天井下地材端部ガイドと、２本の前記角形棒材各々の他方の端部を連結するように設けられて、２本の該角形棒材の長さ方向に沿ってそれぞれ載置される副天井下地材の端部を前記副天井下地材端部ガイドに押しつけるように仮固定するクランプと、前記薄板上であって前記角形棒材に沿うように複数設けられた副天井下地材横部ガイドと、前記薄板上に設けられて照明器具反射板の位置を定める反射板位置決めガイドと、を備えることを特徴とする位置決め治工具。
【発明の詳細な説明】
【０００１】
【発明の属する技術分野】
本発明は、天井と天井照明装置を一括して施工するためのシステム天井の位置決め治工具に関する。
【０００２】
【従来の技術】
従来より、事務所ビルなどのシステム天井工事は、建築工事としてシステム天井の下地を構成したのち、設備工事として天井下地への照明器具の取り付けを行っている。
【０００３】
【発明が解決しようとする課題】
このため、システム天井の施工作業段階で建築工事としての天井施工の墨出しと、設備工事としての天井照明装置取付の墨出しが別途必要であり、施工効率が低かった。
【０００４】
上記事情に鑑み、本発明は天井と天井照明の組付けを一括して施工できるようなシステム天井の施工に直接使用する位置決め治工具を提供することを目的としている。
【０００６】
【課題を解決するための手段】
請求項１記載の位置決め治工具は、一定の距離を設けて平行に配置された２本の角形棒材を連結するように、長方形の薄板が該角形棒材の下面の両端部、及び中間部に取り付けられている位置決め治工具本体と、２本の前記角形棒材各々の上面の一方の端部に設けられた副天井下地材端部ガイドと、２本の前記角形棒材各々の他方の端部を連結するように設けられて、２本の該角形棒材の長さ方向に沿ってそれぞれ載置される副天井下地材の端部を前記副天井下地材端部ガイドに押しつけるように仮固定するクランプと、前記薄板上であって前記角形棒材に沿うように複数設けられた副天井下地材横部ガイドと、前記薄板上に設けられて照明器具反射板の位置を定める反射板位置決めガイドと、を備えることを特徴としている。
【０００８】
【発明の実施の形態】
図１〜５に本発明に係る位置決め治工具の詳細を示す。符号１は位置決め治工具、２はＴバー、３は照明器具反射板、４は照明器具取付金物を示している。図１より明らかなように、該位置決め治工具１は副天井部材であるＴバー２と照明器具本体１３を構成する照明器具反射板３及び照明器具取付金物４をユニット化するための位置決め装置であり、作業は天井面ではなく足場等の床上で行われる。
【０００９】
該位置決め治工具１は、一定の距離を設けて平行に配置された２本の角形棒材６を連結するように、長方形の薄板８が該角形棒材６の下面の両端部、及び中間部に取り付けられている位置決め治工具本体５と、該角形棒材６の一方の端部７ａに設けられた副天井下地材端部ガイド１０と、前記角形棒材６の他方の端部７ｂで２本の該角形棒材６を連結するように設けられたクランプ１２と、前記薄板８上で前記角形棒材６に沿うように複数取り付けられた副天井下地材横部ガイド９と、前記薄板８上に取り付けられて照明器具反射板３の位置を定める反射板位置決めガイド１１と、より構成されている。
【００１０】
該位置決め治工具本体５は、平行に配置された２本の角形棒材６の下面で、該角形棒材６の両端部、及び中間部に長方形の薄板８がネジ等の固定手段により取り付けられたものである。これらの部材は、外力により変形することが無く、現場等への持ち運びに便利な軽量素材によりなるもので、アルミ材や木材等が用いられる。
【００１１】
図２（ａ）に示すように、前記位置決め治工具本体５を構成する薄板８には、前記角形棒材６に沿って数個の副天井下地材横部ガイド９が設けられている。該副天井下地材横部ガイド９は、前記角形棒材６の上面に達する高さを有する凸形状を形成しており、該副天井下地材横部ガイド９と前記角形棒材６の間には一定の隙間９ａが設けられている。前記Ｔバー２のウェブ２ｃを該隙間９ａに差し込むようにして、副天井下地材横部ガイド９と角形棒材６の上面にＴバー２のフランジを載置することにより、２本のＴバー２同士の平行を維持するものである。
【００１２】
また、該位置決め治工具本体５を構成する前記角形棒材６の一方の端部７ａの上面には、副天井下地材端部ガイド１０が設けられている。上述するように、前記位置決め治工具本体５にＴバー２を載置する際に、併せてＴバー２の一方の端部２ａを前記副天井下地材端部ガイド１０に直接接触させることにより、２本のＴバー２の端部の位置を同軸状に合わせるものである。これら、Ｔバー２の位置決め機能を有する前記副天井下地材横部ガイド９および副天井下地材端部ガイド１０は、軽量で外力により変形しないようなアルミ材等の剛性部材よりなるものである。
【００１３】
さらに、図２（ｂ）に示すように、前記角形棒材６の他方の端部７ｂには、前記副天井下地材端部ガイド１０により一方の端部２ａの位置が同軸状に合わされた２本のＴバー２を、前記位置決め治工具１の定位置に固定するためのクランプ１２が設けられている。該クランプ１２は、前記Ｔバー２の他方の端部２ｂに添えられて、該位置決め治工具本体５の長さ方向で前記副天井下地材端部ガイド１０に向かって前記Ｔバー２を押し出し、前記Ｔバー２の端部２ａを副天井下地材端部ガイド１０に押しつけるような圧縮力を与えるものである。
【００１４】
これにより、２本の前記Ｔバー２は前記位置決め治工具１に対して、それぞれウェブ２ｃを下向きにして平行を維持するように該副天井下地材横部ガイド９及び前記角形棒材６の上面に載置されるとともに、２本のＴバー２の端部２ａ、２ｂが同軸となるように前記副天井下地材端部ガイド１０及びクランプ１２によって固定されることとなる。
【００１５】
さらに、前記薄板８には、反射板位置決めガイド１１がボルト等の固定手段により取り付けられている。該反射板位置決めガイド１１は前記角形棒材６に対して垂直をなすとともに、上方に凸状を形成している。図１（ｂ）に示すように、前記位置決め治工具１に対して前記照明器具反射板３の２辺の短辺３ａそれぞれに、該反射板位置決めガイド１１が触れるように載置することによって、前記Ｔバーに対する前記照明器具反射板３の位置が決定できるような箇所に取り付けられている。
【００１６】
一方、上述する前記位置決め治工具１に載置される前記Ｔバー２は、ウェブ２ｃの先端の断面が空洞を有する角筒形状となっており、ウェブ２ｃの両側面が突部となる形状となっている（図３参照）。また、該Ｔバー２とユニット化される前記照明器具反射板３は、工場等であらかじめ照明器具取付金物４が化粧ビスにより固定されている。
【００１７】
該照明器具取付金物４は図４に示すように、その側面４ａにおいて、外向きに水平方向の凸部４ｂを有す形状となっており、前記Ｔバー２を構成するウェブ２ｃ先端の突部が照明器具取付金物４の内側より嵌合されることにより、該Ｔバー２と前記照明器具取付金物４が連結されている。さらに、前記照明器具取付金物４の側面４ａと前記Ｔバー２のウェブ２ｃはドリルネジ１５又はタッピネジ等の固定手段により締結されている（図１（Ｃ）参照）。
【００１８】
次に、本発明の施工方法を示す。まず、システム天井施工および照明器具本体に係る材料や部品をメーカーの工場から現場に直接搬入する。現場に搬入した材料のうち、副天井下地材である前記Ｔバー２と、照明器具本体１３を構成する照明器具取付金物４および照明反射板３、を天井位置ではなく足場上で一体に組み付けてユニット化する。
【００１９】
ユニット化は、まず、前記位置決め治工具１の上に、工場で化粧ビスにより照明器具取付金物４があらかじめ固定された照明反射板３を、前記反射板位置決めガイド１１に従って、前記照明反射板３を上向きにするように載置する（図１（ｂ）参照）。
【００２０】
次に、前記位置決め治工具１の角形棒材６と副天井下地材横部ガイド９の間に設けられた隙間９ａにＴバー２のウェブ２ｃを挿入するようにして、Ｔバー２のフランジを前記角形棒材６と前記副天井下地材横部ガイド９の上面に載置する。併せて、平行に載置された２本の前記Ｔバー２の端部２ａを前記副天井下地端部ガイド１０に接触させ、同軸状に位置を確保する（図１（ｃ）参照）。
【００２１】
このとき、前記Ｔバー２のウェブ２ｃは、前記照明反射板３と前記照明器具取付金物４との隙間に挿入されて、該ウェブ２ｃ先端の突部が前記照明器具取付金物４の突部４ｂに嵌合されていることを確認する。
【００２２】
前記照明器具取付金物４と前記Ｔバー２が嵌合されたことを確認した上で、前記Ｔバー２の他方の端部２ｂより前記クランプ１２を押し当て、前記位置決め治工具１に２本のＴバー２を固定する。この後、照明器具取付金物４の側面４ａとＴバー２のウェブ２ｃをドリルネジ１５、又はタッピネジで緊結する。その後、ユニット化されたＴバー２と照明反射板３及び照明器具取付金物４を位置決め治工具１から外し、照明器具１４を前記照明反射板３にあらかじめ取り付けられた前記照明器具取付金物４の上に取り付ける（図３参照）。
【００２３】
なお、前記照明器具１４は、天井下地施工が完成した後に設備工事において取り付けることも可能である。
【００２４】
一方で、上述するユニット化作業と平行して天井施工を行う。従来のシステム天井と同様に、定位置に吊りボルト１６を取り付ける。取り付けた吊りボルト１６に主天井下地材であるＣ型チャンネル１７を取り付けるとともに、壁面には天井と壁との接続部に天井ボードの端部を納める図示しない廻り縁を設置する。（図４参照）
【００２５】
次に、先ほどユニット化した前記Ｔバー２、及び前記照明反射板３と前記照明器具取付金物４を、天井施工の際に取り付けた前記Ｃ型チャンネル１７に対してクリップ１８等の固定手段を用いて取り付ける（図４参照）。
【００２６】
ここで用いる該クリップ１８は、従来品のＣＴクリップを用いることにより対応することが可能である。また、前記Ｔバー２間の連結も従来品の接続金物であるＴＴジョイントを用いることが可能である。
【００２７】
これらの作業により構成された天井下地に図示しない空調吹き出し口、感知器、スプリンクラー等の各設備機器を取り付けた後に天井ボードを取り付け仕上げる。
【００２８】
なお、前記照明器具１４には、一般的に用いられているトラフ型照明器具を採用するが、前記照明器具１４が１灯型の場合には、安定器２１を有する２灯１安定器型照明器具１９と安定器なし照明器具２０を組み合わせて対応することも可能である（図５参照）。
【００２９】
上記の構成によれば、天井部材および照明器具本体１３に係わる部材をメーカー工場より直接現場に搬入し、建設現場においてＴバー２に照明器具本体１３を構成する照明反射板３と、照明器具取付金物４とを一体に組み付けてユニット化するとともに、該ユニットを、前記主天井下地材であるＣ型チャンネル１７に取り付けることから、現場内で複数の作業を並列に実施できるため、現場における労務の平準化が図れるとともに、工期短縮を図ることも可能となる（図６参照）。
【００３０】
また、床上にて前記Ｔバー２と照明反射板３及び照明器具取付金物４との納まりを確認しながら作業が行えるため、天井吊り込み時の上向き調整作業を削減できるとともに、天井施工業者が照明器具本体の取付までを一括施工できるため、品質が確保される。
【００３１】
さらに、天井部材、及び照明に係わる材料や部品を仕入先から直接現場に運搬すれば良く、ユニット化工場への運搬費や工場固定費を削減することができる。
【００３２】
一方で、照明器具取付金物４の側面４ａには、外側に水平方向の凸形状４ｂが設けられて、前記Ｔバー２を構成するウェブ２ｃ先端の突部が嵌合されることにより、該Ｔバー２と前記照明器具取付金物４が連結されることから、天井と照明器具本体１３が強固に一体化されるため、地震等による照明器具本体１３の落下の危険性が減少し、耐震性に強い構造となる。このため、従来より一般的に用いられている照明器具本体１３と吊りボルト１６を連結していた落下防止ワイヤーの設置が不要となる。
【００３３】
また、ユニット化される２本の前記Ｔバー２は照明器具取付金物４に固定されるため、２本のＴバー２の間隔は決められた幅を維持することができ、天井上向き作業であるライン幅の調整作業を省略することが可能となる。
【００３５】
【発明の効果】
請求項１の位置決め治工具によれば、一定の距離を設けて平行に配置された２本の角形棒材を連結するように、長方形の薄板が該角形棒材の下面の両端部、及び中間部に取り付けられている位置決め治工具本体と、２本の前記角形棒材各々の上面の一方の端部に設けられた副天井下地材端部ガイドと、２本の前記角形棒材各々の他方の端部を連結するように設けられて、２本の該角形棒材の長さ方向に沿ってそれぞれ載置される副天井下地材の端部を前記副天井下地材端部ガイドに押しつけるように仮固定するクランプと、前記薄板上であって前記角形棒材に沿うように複数設けられた副天井下地材横部ガイドと、前記薄板上に設けられて照明器具反射板の位置を定める反射板位置決めガイドと、を備えることから、簡略な構成による治工具で非熟練者でもユニット化を行うことが可能となる。
【図面の簡単な説明】
【図１】本発明に係る位置決め治工具を用いた施工手順を示す図である。
【図２】本発明に係る位置決め治工具の詳細を示す図である。
【図３】本発明に係る位置決め治工具を用いた照明器具の取付けの詳細を示す図である。
【図４】本発明に係る位置決め治工具を用いた照明器具の取付けの詳細を示す図である。
【図５】本発明に係る位置決め治工具を用いた１灯型の照明器具の取付けの詳細を示す図である。
【図６】本発明に係る位置決め治工具を用いた天井施工の工程を示す図である。
【符号の説明】
１  位置決め治工具
２  Ｔバー（副天井下地材）
２ａ  端部
２ｂ  端部
２ｃ  ウェブ
３  照明器具反射板
３ａ  短辺
４  照明器具取付金物
４ａ  側面
４ｂ  突部
５  位置決め治工具本体
６  角形棒材
７ａ  端部
７ｂ  端部
８  薄板
９  副天井下地材横部ガイド
９ａ  隙間
１０  副天井下地材端部ガイド
１１  反射板位置決めガイド
１２  クランプ
１３  照明器具本体
１４  照明器具
１５  ドリルネジ
１６  吊りボルト
１７  Ｃ型チャンネル（主天井下地材）
１８  クリップ
１９  ２灯１安定器型照明器具
２０  安定器なし照明器具
２１  安定器
【図１】
0003677739.tif 000002
【図２】
0003677739.tif 000003
【図３】
0003677739.tif 000004
【図４】
0003677739.tif 000005
【図５】
0003677739.tif 000006
【図６】
0003677739.tif 000007